【手続補正書】
【提出日】平成17年5月6日(2005.5.6)
【手続補正１】
【補正対象書類名】明細書
【補正対象項目名】特許請求の範囲
【補正方法】変更
【補正の内容】
【特許請求の範囲】
【請求項１】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に洗浄液を供給する洗浄液分配素子からなる細胞洗浄ロータにおいて、前記洗浄液分配素子は、中央部に洗浄液導入孔を有する円形平板状の上部分配素子と円形平板状の下部分配素子とを備え、前記上部分配素子及び下部分配素子のいずれか一方または両方に放射状の複数の溝を有し、上記上部分配素子または下部分配素子の一方または両方に設けられた複数の溝の中心線は、上記ロータ中心を通る直線上に放射状に配置され、前記溝の中心線は前記試験管ホルダ中心と前記ロータ中心を結ぶ直線と一致しないことを特徴とする細胞洗浄ロータ。
【請求項２】
請求項１において、上記上部分配素子及び下部分配素子は樹脂またはセラミックスを成形加工して製造されたことを特徴とする細胞洗浄ロータ。
【請求項３】
請求項１において上記上部分配素子または下部分配素子の一方に設けられた溝と、他方の素子の平面により囲まれた空間を洗浄液の流路としたことを特徴とす
る細胞洗浄ロータ。
【請求項４】
請求項１において、前記複数の溝の中心線は、前記試験管ホルダ中心と前記ロータ中心を結ぶ直線よりも、前記ロータを上部から見て、前記ロータの回転方向に前進していること特徴とする細胞洗浄ロータ。
【請求項５】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に洗浄液を供給する洗浄液分配素子からなる細胞洗浄ロータにおいて、前記洗浄液分配素子は、中央部に洗浄液導入孔を有する円形平板状の上部分配素子と円形平板状の下部分配素子とを備え、前記上部分配素子及び下部分配素子のいずれか一方または両方に放射状の複数の溝を有し、前記上部分配素子及び下部分配素子の一方または両方に設けられた複数の溝の中心線は、直線又は曲線状で前記ロータ中心を通る直線とある角度を成していること特徴とする細胞洗浄ロータ。
【請求項６】
請求項１又は５において、前記複数の溝の前記ロータ中心側の溝端部はなめらかな曲面で構成されていることを特徴とする細胞洗浄ロータ。
【請求項７】
請求項１又は５において、前記上部分配素子は、その一部または全部が透明部材で構成されていることを特徴とする細胞洗浄ロータ。
【請求項８】
請求項１又は５において、前記上部分配素子の中央には円筒形状の把握部を有し、把握部の外周には縦方向にすべり止めのための複数のすべり止め凹部またはすべり止め凸部が形成されていることを特徴とする細胞洗浄ロータ。
【請求項９】
請求項１又は５において、前記上部分配素子及び前記下部分配素子は、その最外周において、溝が配置された部分が他の部分よりも外に向かって凸形状の凸部を有することを特徴とする細胞洗浄ロータ。
【請求項１０】
細胞洗浄ロータにおける洗浄液分配素子であって、中央部に洗浄液導入孔を有する円形平板状の上部分配素子と、円形平板状の下部分配素子とを有し、上記上部分配素子および上記下部分配素子のいずれか一方又は両方に放射状に配置された複数の溝を設け、上記溝を洗浄液流路とすると共に、上記上部分配素子または下部分配素子の一方または両方に設けられた複数の溝の中心線は、上記ロータ中心を通る直線上に放射状に配置され、前記溝の中心線は試験管ホルダ中心と前記ロータ中心を結ぶ直線と一致しないことを特徴とする洗浄液分配素子。
【請求項１１】
請求項１０において、上記上部分配素子及び下部分配素子は樹脂またはセラミックスを成形加工して製造されたことを特徴とする洗浄液分配素子。
【請求項１２】
請求項１０において上記上部分配素子または下部分配素子の一方に設けられた溝と、他方の素子の平面により囲まれた空間を洗浄液の流路としたことを特徴とする洗浄液分配素子。
【請求項１３】
請求項１０において、前記複数の溝の中心線は、前記試験管ホルダ中心と前記ロータ中心を結ぶ直線よりも、前記ロータを上部から見て、前記ロータの回転方向に前進していること特徴とする洗浄液分配素子。
【請求項１４】
細胞洗浄ロータにおける洗浄液分配素子であって、中央部に洗浄液導入孔を有する円形平板状の上部分配素子と、円形平板状の下部分配素子とを有し、上記上部分配素子および上記下部分配素子のいずれか一方又は両方に放射状に配置された複数の溝を設け、上記溝を洗浄液流路とすると共に、前記上部分配素子及び下部分配素子の一方または両方に設けられた複数の溝の中心線は、直線又は曲線状で前記ロータ中心を通る直線とある角度を成していること特徴とする洗浄液分配素子。
【請求項１５】
請求項１０又は１４において、前記複数の溝の前記ロータ中心側の溝端部はなめらかな曲面で構成されていることを特徴とする洗浄液分配素子。
【請求項１６】
請求項１０又は１４において、前記上部分配素子は、その一部または全部が透明部材で構成されていることを特徴とする洗浄液分配素子。
【請求項１７】
請求項１０又は１４において、前記上部分配素子の中央には円筒形状の把握部を有し、把握部の外周には縦方向にすべり止めのための複数のすべり止め凹部またはすべり止め凸部が形成されていることを特徴とする洗浄液分配素子。
【請求項１８】
請求項１０又は１４において、前記上部分配素子及び前記下部分配素子は、その最外周において、溝が配置された部分が他の部分よりも外に向かって凸形状の凸部を有することを特徴とする洗浄液分配素子。
【請求項１９】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に洗浄液を供給する洗浄液分配素子からなる細胞洗浄ロータにおいて、前記洗浄液分配素子は、中央部に洗浄液導入孔を有する円形平板状の上部分配素子と円形平板状の下部分配素子から成り、前記上部分配素子及び下部分配素子のいずれか一方または両方に放射状の複数の溝を有し、前記上部分配素子及び下部分配素子及び前記溝に係合し流体の流れを阻止する栓部材を備えたことを特徴とする細胞洗浄ロータ。
【請求項２０】
請求項１９において、前記栓部材は、弾性体材料から構成されていることを特徴とする細胞洗浄ロータ。
【請求項２１】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に洗浄液を供給する洗浄液分配素子とからなる細胞洗浄ロータと、前記ロータを回転するためのロータ駆動機構と、前記細胞洗浄ロータに洗浄液を供給するための洗浄液供給機構とを備え、前記洗浄液分配素子は、中央部に洗浄液導入孔を有する円形平板状の上部分配素子と円形平板状の下部分配素子とを備え、前記上部分配素子及び下部分配素子のいずれか一方または両方に放射状の複数の溝を有し、上記上部分配素子または下部分配素子の一方または両方に設けられた複数の溝の中心線は、上記ロータ中心を通る直線上に放射状に配置され、前記溝の中心線は前記試験管ホルダ中心と前記ロータ中心を結ぶ直線と一致しないことを特徴とする細胞洗浄遠心機。
【請求項２２】
請求項２１において、上記上部分配素子及び下部分配素子は樹脂またはセラミックスを成形加工して製造されたことを特徴とする細胞洗浄遠心機。
【請求項２３】
請求項２１において上記上部分配素子または下部分配素子の一方に設けられた溝と、他方の素子の平面により囲まれた空間を洗浄液の流路としたことを特徴とする細胞洗浄遠心機。
【請求項２４】
請求項２１において、前記複数の溝の中心線は、前記試験管ホルダ中心と前記ロータ中心を結ぶ直線よりも、前記ロータを上部から見て、前記ロータの回転方向に前進していることを特徴とする細胞洗浄遠心機。
【請求項２５】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に洗浄液を供給する洗浄液分配素子とからなる細胞洗浄ロータと、前記ロータを回転するためのロータ駆動機構と、前記細胞洗浄ロータに洗浄液を供給するための洗浄液供給機構とを備え、前記洗浄液分配素子は、中央部に洗浄液導入孔を有する円形平板状の上部分配素子と円形平板状の下部分配素子とを備え、前記上部分配素子及び下部分配素子のいずれか一方または両方に放射状の複数の溝を有し、
前記上部分配素子及び下部分配素子の一方または両方に設けられた複数の溝の中心線は、直線又は曲線状で前記ロータ中心を通る直線とある角度を成していることを特徴とする細胞洗浄遠心機。
【請求項２６】
請求項２１又は２５において、前記複数の溝の前記ロータ中心側の溝端部はなめらかな曲面で構成されていることを特徴とする細胞洗浄遠心。
【請求項２７】
請求項２１又は２５において、前記上部分配素子は、その一部または全部が透明部材で構成されていることを特徴とする細胞洗浄遠心機。
【請求項２８】
請求項２１又は２５において、前記上部分配素子の中央には円筒形状の把握部を有し、把握部の外周には縦方向にすべり止めのための複数のすべり止め凹部またはすべり止め凸部が形成されていることを特徴とする細胞洗浄遠心機。
【請求項２９】
請求項２１又は２５において、前記上部分配素子及び前記下部分配素子は、その最外周において、溝が配置された部分が他の部分よりも外に向かって凸形状の凸部を有することを特徴とする細胞洗浄遠心機。
【請求項３０】
ロータと、前記ロータ上に回転自在に装着され、ロータ回転時、遠心力で外方向に動き得る複数の試験管ホルダと、前記ロータに装着され前記ロータと共に回転し、前記試験管ホルダによって保持された多数の試験管内に流体を供給する流体分配素子とからなる回転機構と、前記ロータを回転するためのロータ駆動機構と、前記細胞洗浄ロータに流体を供給するための流体供給機構とを備え、前記流体分配素子は、中央部に流体導入孔を有する円形平板状の上部分配素子と円形平板状の下部分配素子とを備え、前記上部分配素子及び下部分配素子のいずれか一方または両方に放射状の複数の溝を有し、上記上部分配素子または下部分配素子の一方または両方に設けられた複数の溝の中心線は、上記ロータ中心を通る直線上に放射状に配置され、前記溝の中心線は前記試験管ホルダ中心と前記ロータ中心を結ぶ直線と一致しないことを特徴とする細胞洗浄遠心機。